(57)【要約】  【課題】  電気機器に搭載される表示装置において電気機器の構成を簡素化できるとともにデッドスペースを削減できる表示装置を提供する。  【解決手段】  表示装置５０は光源５３及び導光板５１を備え、光源５３を実装する基板５２上に受信素子５４が配置される。導光板５３は放射面５１ｅの一端に連続して傾斜した第１反射面５１ｆと放射面５１ｅに対向する第２反射面５１ｃとを有し、光源５３が第１反射面５１ｆに対向した背面側に配置され、受信素子５４が放射面５１ｅの背面側に配置される。光源５３から導光板５１に入射した光は第１反射面５１ｆで反射して放射面５１ｅ及び第２反射面５１ｃで反射を繰り返して導光し、臨界角を超えた光が放射面５１ｅから放射される。また、リモートコントローラ７の出射光は導光板５１を透過して受信素子５４に受信される。【選択図】      図４
2005128237.tif 000002
【特許請求の範囲】
【請求項１】
光源と、
前記光源の前方に配されるとともに、前記光源から出射した光を前記光源近傍に設けられた受光部で受光して導光し、前面側の放射面から放射する導光板と、
を備えた表示装置において、前記導光板は、前記受光部に対向する位置に設けられるとともに前記受光部から入射した光を反射する第１反射面と、前記放射面に対向する位置に設けられるとともに第１反射面の反射光を前記放射面に向けて反射する第２反射面とを有することを特徴とする表示装置。
【請求項２】
光を反射する反射材を第２反射面に設けたことを特徴とする請求項１に記載の表示装置。
【請求項３】
第２反射面の一部を光透過可能にしたことを特徴とする請求項２に記載の表示装置。
【請求項４】
前記受光部は前記光源の発光部分の一部または全部を覆う曲面の曲面部を有することを特徴とする請求項１〜請求項３のいずれかに記載の表示装置。
【請求項５】
前記曲面部が球面または円筒面から成ることを特徴とする請求項４に記載の表示装置。
【請求項６】
前記曲面部を除く前記受光部に光を反射する反射材を設けたことを特徴とする請求項４または請求項５に記載の表示装置。
【請求項７】
第１反射面と第２反射面の成す角度を３５゜〜４３゜にしたことを特徴とする請求項１〜請求項６のいずれかに記載の表示装置。
【請求項８】
請求項１〜請求項７のいずれかに記載の表示装置と、第２反射面に対向配置されるとともに信号を受信する受信素子と、前記光源及び前記受信素子を実装する基板とを備えたことを特徴とする電気機器。
【発明の詳細な説明】
【技術分野】
【０００１】
本発明は、光源から入射した光を透過して出射する表示板を備えた表示装置またはそれを用いた電気機器に関する。
【背景技術】
【０００２】
従来の表示装置は文字や記号等が表面に設けられた表示板の後方に光源が配置され、光源により表示板を照射する。この構成によると、表示板の後方のスペースが光源により占有され、表示装置の設計の自由度が低くなる。
【０００３】
特許文献１には導光板を有する表示装置が開示されている。この表示装置は表示パネルの後方に導光板が配されている。導光板は表示パネルに対向する放射面と、放射面に傾斜して対向する反射面を有している。導光板の側方に配された光源から入射した光を放射面及び反射面で反射して導光し、臨界角の超えた光を放射面から出射して表示パネルを透過する。
【０００４】
従って、導光板から成る表示板を設けることによって表示板の側方に光源を配置して表示板の後方のスペースを有効利用することができる。また、光が導光して表示板の表面全体から出射されるため放射面積が増加し、表示板の視認性を向上することができる。
【特許文献１】実開平６−３６００１号公報
【発明の開示】
【発明が解決しようとする課題】
【０００５】
しかしながら、導光板から成る表示板の側方に光源を配置した表示装置を電子機器に搭載すると、表示板の後方に配された電子部品と光源とが別々の基板や立体的に折曲された基板上に実装される。このため、電気機器の構成が複雑になるとともにデッドスペースが生じる問題があった。
【０００６】
本発明は、電気機器に搭載される表示装置において電気機器の構成を簡素化できるとともにデッドスペースを削減できる表示装置を提供することを目的とする。また、本発明は構成を簡素化できるとともにデッドスペースを削減できる電気機器を提供することを目的とする。
【課題を解決するための手段】
【０００７】
上記目的を達成するために本発明は、光源と、
前記光源の前方に配されるとともに、前記光源から出射した光を前記光源近傍に設けられた受光部で受光して導光し、前面側の放射面から放射する導光板と、
を備えた表示装置において、前記導光板は、前記受光部に対向する位置に設けられるとともに前記受光部から入射した光を反射する第１反射面と、前記放射面に対向する位置に設けられるとともに第１反射面の反射光を前記放射面に向けて反射する第２反射面とを有することを特徴としている。
【０００８】
この構成によると、受光部の後方に配される光源から導光板に入射した光は第１反射面で反射し、第２反射面及び放射面の反射により導光して臨界角を超えた光が放射面から放射される。
【０００９】
また本発明は、上記構成の表示装置において、光を反射する反射材を第２反射面に設けたことを特徴としている。この構成によると、臨界角を超えて第２反射面に到達した光は反射材で反射して放射面から放射される。
【００１０】
また本発明は、上記構成の表示装置において、第２反射面の一部を光透過可能にしたことを特徴としている。この構成によると、放射面から入射する外部の光は第２反射面を透過して表示装置が搭載される電気機器の内部に侵入する。
【００１１】
また本発明は、上記構成の表示装置において、前記受光部は前記光源の発光部分の一部または全部を覆う曲面の曲面部を有することを特徴としている。この構成によると、光源のから出射される光は曲面部から導光板に入射して第１反射面に導かれる。曲面部を球面または円筒面により形成するとよい。曲面部を除く受光部に光を反射する反射材を設けてもよい。
【００１２】
また本発明は、上記構成の表示装置において、第１反射面と第２反射面の成す角度を３５゜〜４３゜にしたことを特徴としている。
【００１３】
また本発明の電気機器は、上記各構成の表示装置と、第２反射面に対向配置されるとともに信号を受信する受信素子と、前記光源及び前記受信素子を実装する基板とを備えたことを特徴としている。この構成によると、光源の出射光は第１反射面で反射し、導光板を導光して放射面から放射される。放射面から入射する外部の光は導光板を透過して受信素子に入射する。
【発明の効果】
【００１４】
本発明によると、受光部に対向する位置に設けられるとともに受光部から入射した光を反射する第１反射面と、放射面に対向する位置に設けられるとともに第１反射面の反射光を放射面に向けて反射する第２反射面とを有するので、光源と同じ基板上に実装される電子部品を放射面の後方に配置して表示装置を搭載した電気機器の構成を簡素化できるとともにデッドスペースを削減できる。
【００１５】
また本発明によると、光を反射する反射材を第２反射面に設けたので、第２反射面から出射される光を低減して照明効率を向上できる。
【００１６】
また本発明によると、第２反射面の一部を光透過可能にしたので、放射面の後方に配される電子部品に容易に光を入射させることができる。また、表示装置が搭載される電気機器の内部を見えにくくすることができる。
【００１７】
また本発明によると、受光部は光源の発光部分の一部または全部を覆う曲面の曲面部を有するので、光源の出射光を漏らさず受光部から導光板に取り込んで表示装置の照明効率を向上することができる。
【００１８】
また本発明によると、曲面部を除く受光部に光を反射する反射材を設けたので、受光部から出射される光を低減して表示装置の照明効率をさらに向上することができる。
【００１９】
また本発明によると、第１反射面と第２反射面の成す角度を３５゜〜４３゜にしたので、導光による放射面積を確保するとともに均一な出射光を得ることができる。
【発明を実施するための最良の形態】
【００２０】
以下に本発明の実施形態を図面を参照して説明する。図１は第１実施形態の空気調和機を示す分解斜視図である。空気調和機１は本体部２、フィルターユニット６及び前面パネル１１から成り、リモートコントローラ７により遠隔操作可能になっている。本体部２には送風ファン及びイオン発生装置（いずれも不図示）が設けられている。フィルターユニット６はプレフィルター、脱臭フィルター、集塵フィルターから成り、本体部２のフィルター収納部１２に設置される。また、前面パネル１１には多数の小孔（不図示）から成る吸気口１４が設けられる。
【００２１】
送風ファンの駆動によって、吸気口１４から取込まれた空気はフィルターユニット６で臭気や塵埃が除去され、通風口１３を介して図２に示すように背面側に形成された排気口３から排気される。また、イオン発生装置によって発生するイオンが排気口３から排気される空気に含まれて室内に放出される。これにより、マイナスイオンによるリラクゼーション効果やマイナスイオン及びプラスイオンによる殺菌効果等を得ることができる。
【００２２】
本体部２の上部には操作部４及び表示部５が設けられている。操作部４は空気調和機１の運転操作を行う。表示部５は操作部４の操作に応じて空気調和機１の運転状態を表示するＬＥＤ５ａ等から成っている。また、表示部５の端部にはイオン発生装置の駆動を報知するイオン表示部５０（表示装置）が設けられている。図３に示すように、表示部５の表示状態は前面パネル１１の貫通孔１１ａ、１１ｂを介して視認できるようになっている。
【００２３】
図４はイオン表示部５０の上面断面図を示している。イオン表示部５０は導光板５１及び回路基板５２に実装された光源５３を有している。導光板５１は前面の放射面５１ｅが前面パネル１１の貫通孔１１ｂに臨むように配置されている。放射面５１ｅの背後には回路基板５２に実装された受信素子５４が配置されている。受信素子５４はリモートコントローラ７（図１参照）から送信された赤外線を受信して受信信号に応じた信号を出力する。
【００２４】
図５、図６、図７はそれぞれ導光板５１を示す正面図、側面図、底面断面図である。導光板５１の一端には光源５３に対向して光源５３の出射光を導光板５１に取り込む受光部５１ｂが設けられる。受光部５１ｂは光源５３の発光部分の先端を覆う円筒面から成る曲面部５１ｇを有している。これにより、光源５３から出射して導光板５１に入射しない光を削減し、照明効率を向上できるようになっている。曲面部５１ｇにより光源５３の発光部分の一部を覆っているが全部を覆うとより望ましい。また、曲面部５１ｇは球面その他の曲面により形成してもよい。
【００２５】
受光部５１ｂに対向する前面側には、放射面５１ｅに連続して傾斜する第１反射面５１ｆが形成される。導光板５１の背面側には放射面５１ｅに対向する第２反射面５１ｃが形成されている。
【００２６】
第２反射面５１ｃの外壁面には反射材のシルク印刷によって形成される反射膜５１ｈ（図８参照）が設けられている。図８は導光板５１の背面図を示しており、ドット状のパターンから成る反射膜５１ｈがマトリクス状に配列されている。隣接する反射膜５１ｈの間には光が透過する透過部５１ｊが形成されている。これにより、反射膜５１ｈで光を反射して導光できるとともに、リモートコントローラ７（図１参照）から出射される赤外線の駆動信号が透過部５１を透過し、受信素子５４（図４参照）で受信できるようになっている。
【００２７】
反射膜は他のパターンから成ってもよい。例えば、図９に示すように、反射膜５１ｈと透過部５１ｊとを千鳥格子状に配列してもよい。また、図１０に示すように、第２反射面５１ｃの全面に反射膜５１ｈを形成してドット状の透過部５１ｊを放射状に形成してもよい。尚、反射膜を反射材による塗装や反射材から成るシートの貼着等により形成してもよい。
【００２８】
上記のように第２反射面５１ｃの外壁面に部分的に透過部５１ｊを有する反射材（５１ｈ）を設けることによって、リモートコントローラ７からの赤外線の駆動信号は透過するとともに本体部２内の受光素子５４を覆隠することができる。また、受光部５１ｂ（図６参照）にも曲面部５１ｇ（図６参照）を除く部分に反射材のシルク印刷、塗装、貼着等によって反射膜が設けられている。これにより、受光部５１ｂから漏れる光を低減して照明効率を向上することができる。
【００２９】
光源５３から出射される光は受光部５１ｂから導光板５１に入射して第１反射面５１ｆで反射し、放射面５１ｅ及び第２反射面５１ｃで反射を繰り返して導光する。そして、臨界角を超えた光が放射面５１ｅから出射して貫通孔１１ｂを介して点灯状態が視認できる。
【００３０】
表１は第１、第２反射板５１ｆ、５１ｃの成す角度αに対する視認に充分な輝度を有する放射面５１ｅ上の範囲（以下、「視認範囲」という）と輝度のバラツキとを視認した結果を示している。角度αを４３゜よりも大きくすると第１反射板５１ｆで反射して導光板５１の他端から漏洩する光が増加する。これにより、視認範囲が減少するとともに輝度のバラツキが大きくなる。一方、角度αが３５゜よりも小さくなると、輝度のバラツキが大きくなる。従って、角度αを３５゜〜４３゜にすると視認範囲を大きくできるとともに輝度のバラツキを小さくすることができる。
【００３１】
【表１】
2005128237.tif 000003
本実施形態において、受光部５１ｂに対向する位置に設けられるとともに受光部５１ｂから入射した光を反射する第１反射面５１ｆと、放射面５１ｅに対向する位置に設けられるとともに第１反射面５１ｆの反射光を放射面５１ｅに向けて反射する第２反射面５１ｃとを有するので、光源５３と同じ基板５２上に実装される電子部品（受信素子５４）を放射面５１ｅの後方に配置して表示装置５０を搭載した空気調和機１の構成を簡素化できるとともにデッドスペースを削減できる。尚、表示装置５０を他の電気機器に搭載してもよい。
【図面の簡単な説明】
【００３２】
【図１】は、本発明の実施形態の空気調和機を示す分解斜視図である。
【図２】は、本発明の実施形態の空気調和機を示す背面図である。
【図３】は、本発明の実施形態の空気調和機の上部を示す正面図である。
【図４】は、本発明の実施形態の空気調和機のイオン表示部を示す上面断面図である。
【図５】は、本発明の実施形態の空気調和機のイオン表示部の導光板を示す正面図である。
【図６】は、本発明の実施形態の空気調和機のイオン表示部の導光板を示す側面図である。
【図７】は、本発明の実施形態の空気調和機のイオン表示部の導光板を示す底面断面図である。
【図８】は、本発明の実施形態の空気調和機のイオン表示部の導光板を示す背面図である。
【図９】は、本発明の実施形態の空気調和機のイオン表示部の導光板の他の態様を示す背面図である。
【図１０】は、本発明の実施形態の空気調和機のイオン表示部の導光板の更に他の態様を示す背面図である。
【符号の説明】
【００３３】
１    空気調和機
２    本体部
３    排気口
４    操作部
５    表示部
６    フィルターユニット
７    リモートコントローラ
１１    前面パネル
１１ａ、１１ｂ  貫通孔
１４    吸気口
５０    イオン表示部
５１    導光板
５１ｂ  受光部
５１ｃ  第２反射面
５１ｅ  放射面
５１ｆ  第１反射面
５１ｇ  曲面部
５２    基板
５３    光源
５４    受信素子
【図１】
2005128237.tif 000004
【図２】
2005128237.tif 000005
【図３】
2005128237.tif 000006
【図４】
2005128237.tif 000007
【図５】
2005128237.tif 000008
【図６】
2005128237.tif 000009
【図７】
2005128237.tif 000010
【図８】
2005128237.tif 000011
【図９】
2005128237.tif 000012
【図１０】
2005128237.tif 000013